(57)【要約】      （修正有）【課題】筐体から露出している告知面の一部分を摘んで引っ張ると、告知面の全体が筐体から引き出され、手を離すと筐体外部に引き出されていた告知面が再び筐体内に引き戻される告知シートの引き戻り具を提供する。【解決手段】薄板樹脂１０の一端を屈折させて貼着面１１を形成し、他端に告知シート２０の一端を接着し、告知シートの他端には巻き込み防止用の係止片２２を設けた摘み部を形成した。薄板樹脂はＰＥＴ樹脂（ポリエチレンテレフタレート樹脂）であり、撓ませられた薄板樹脂の復元力により、引きだされた告知面が元位置に復帰する。【選択図】図３
0003226566.tif 000002
【実用新案登録請求の範囲】
【請求項１】
薄板樹脂の一端を屈折させて貼着面を形成し、他端に告知シートの一端を接着し、告知シートの他端には巻き込み防止用の係止片を設けた摘み部を形成したことを特徴とする告知シートの引き戻り具
【請求項２】
前記薄板樹脂がＰＥＴ樹脂（ポリエチレンテレフタレート樹脂）であることを特徴とする請求項１記載の告知シートの引き戻り具。
【請求項３】
薄板樹脂の一端に係止爪が設けられていることを特徴とする請求項１記載の告知シートの引き戻り具。
【考案の詳細な説明】
【技術分野】
【０００１】
本考案は、店頭ＰＯＰとして利用することによって購買意欲を湧き立てて、販売効果を高めることに寄与する告知シートの引き戻り具に関する。
【背景技術】
【０００２】
店頭ＰＯＰは買い物客の購買意欲を促進させる手段の一つであり、キャッチコピーの描かれた幟や旗、電子看板や液晶モニターなどによって、顧客の興味を引き付けて、販売促進を担う機器や器具を介して行われている。
【０００３】
販売単価がそれほど高くなく、一度に大量の購入が見込まれないような商品、例えば筆記具などの文房具類にあっては高額な販売促進機器を用いることは採算的見地からも不向きであるといえる。
【０００４】
そこで、安価にして買い物客の購買意欲を促進させる器具の開発が求められてきた。
その一環として、玩具感覚によって買い物客の興味を引き付け、販売目的の商品の前に顧客を呼び寄せる器具が求められたところ、筐体から告知面の一部分が露出し、要部となる告知面は筐体内に格納されており、露出しているその一部分を摘んで引っ張ると、告知面が引き出され、手を離すと告知面は再び筐体内に引き戻される器具が提案された。
【０００５】
例えば、その露出部分にクイズの問題を表示しておけば、買い物客は興味を示し、それを摘んで引き出し、自分で考えた答えと合致するかを判定することになる。
その時、その筐体が販売目的の商品の近辺に配置されていれば顧客の目線が商品に移り、商品購入の機会が生じることになる。
【０００６】
このゲーム感覚を加味した筐体において、正解の記載された告知面を引き出した後は、その正解の告知面は再び筐体内に格納されなければならない。
引きだされた告知面が筐体内に引き戻される手段としては、実開昭５４−１７９０９６（特許文献１）に開示されているように告知面をゴム紐が結合された回動軸に巻き付け、告知面が引き出された後、捻回したゴム紐の復元力によって自動的に巻き取られるものがあった。
【０００７】
他には、ボールペンの内部にメモカードが収納されている筆記具にあっては、ボールペンの内部にゼンマイを利用した巻き取り軸が配置され、ペン本体から一部露出したメモカードの端部を引っ張ると、メモカード全体が引き出され、手を離せば当該カードは軸に巻き取られ、元のようにボールペン内部に格納される構造となっている。
【先行技術文献】
【特許文献】
【０００８】
【特許文献１】実開昭５４−１７９０９６号公報
【考案の概要】
【考案が解決しようとする課題】
【０００９】
筐体から露出している告知面のその一部分を摘んで引っ張ると、告知面の全体が筐体から引き出され、手を離すと筐体外部にあった告知面が再び筐体内に引き戻されると云った機能を有する器具にあっては、その引き戻しの機能が十分発揮され、かつ安価であることが求められる。
前記特許文献１に示された先例にあっては、告知面が引き出された後、捻回したゴム紐の復元力によって自動的に巻き取られる手段を採用しているので、回動軸とゴム紐の結合構成が複雑であり、またゴム紐の劣化によって十分な引き戻し機能が行えなくなる可能性がある。
また、ゼンマイを用いて機械的に引き戻しをする構造を有したものは、製造単価が高くなり、また、故障などによって不具合を生じる恐れもある。
【課題を解決するための手段】
【００１０】
本考案は、上記に鑑み提案されたものであって、薄板樹脂の一端を屈折させて貼着面を形成し、他端に告知シートの一端を接着し、告知シートの他端には巻き込み防止用の係止片を設けた摘み部を形成したことを特徴としている。
【００１１】
また、薄板樹脂はＰＥＴ樹脂（ポリエチレンテレフタレート樹脂）が望ましい。
さらに、薄板樹脂の引き出し限界位置に係止爪を設けて薄板樹脂が筐体の接着面から離脱することがないよう規制することが望ましい。
【考案の効果】
【００１２】
本考案にかかる告知シートの引き戻り具は、撓ませられた薄板樹脂の復元力のみを利用して、引きだされた告知面が元位置に復帰する構成としたことで、機械的要素を全く含めずに極めて安価に製造でき、単純な構成でありながら引き戻り機能が十分発揮される。
【図面の簡単な説明】
【００１３】
【図１】本考案に係る告知シートの引き戻り具の斜視図である。
【図２】本考案の告知シートの引き戻り具を筐体に載置した実施態様を示す斜視図である。
【図３】筐体から告知シートが引き出された状態を示す斜視図である。
【考案を実施するための形態】
【００１４】
図１に示す告知シートの引き戻り具Ａは、リボン状の薄板樹脂１０と同幅で形成されたリボン状の告知面が表される告知シート２０の端部同士が接着面２１で接着され一体化されている。
薄板樹脂１０はＰＥＴ樹脂（ポリエチレンテレフタレート）のように変形に対しての復元力の強い樹脂が適する。
告知シート２０は紙や樹脂で形成され、告知面に所望の印刷が施される。
薄板樹脂１０の一端は、約１２０度程度の仰角をもって屈折部１２で折り曲げられ、筐体Ｂへの貼着面１１が形成されている。
貼着面１１には接着剤が塗布されると共に剥離紙で保護されている。
また、告知シート２０の他端は筐体Ｂから一部分が常に露出するように摘み部が形成され、該摘み部には引き込まれの防止のための係止片２２が画成されている。
【実施例】
【００１５】
次に、本考案に係る告知シートの引き戻り具を用いて、露出している部分を摘んで引っ張ると、告知面が引き出され、手を離すと告知面が再び筐体内に引き戻される器具について実施例を説明する。
【００１６】
筐体Ｂの正面には細長の窓３１が穿孔されており、告知シートの引き戻り具Ａをその窓３１から筐体Ｂの内部に挿通させ、薄板樹脂１０を撓ませながら貼着面１１に塗布した接着剤によって窓３１の上部位置に接着固定する。
貼着面１１には図示しない剥離紙が貼付されており、当該剥離紙を外して簡単に筐体に貼り付けることができる。
告知シート２０は撓んだ薄板樹脂１０の復元力によって引き戻される方向に力が働くが、告知シート２０の一部分は係止片２２が窓３１の枠に当接して引き戻しが止められ、筐体Ｂから常に露出する摘み部となる。
【００１７】
ここで、例えば、露出している部分にクイズを描いておき、格納されている告知シート２０にその正解を描いておけば、その存在に気が付いた顧客はそのクイズ問題に興味を示し、正解を見ようと露出部分を摘まんで告知シートを引き出すことになる。
その場合、引き出し過ぎを防止するために薄板樹脂１０の引き出し限界位置に係止爪１３を設けることが好ましい。
解答を照合した顧客が摘み部から手を離すと、薄板樹脂の復元力によって告知シートは引き込まれ、元の状態に戻る。
クイズに興じた顧客は、周辺に配された販売目的の商品を目のあたりにすることとなり、ＰＯＰ機器の一つとして大きな効果が期待できる。
【符号の説明】
【００１８】
Ａ    告知シートの引き戻り具
Ｂ    筐体
１０  薄板樹脂
１１  貼着面
１２  屈折部
１３  係止爪
２０  告知シート
２１  接着面
２２  係止片
３１  窓
【図１】
0003226566.tif 000003
【図２】
0003226566.tif 000004
【図３】
0003226566.tif 000005